(57)【要約】      （修正有）【課題】押圧する際の癖が異なる複数の操作者が使用する場合であっても操作しやすくする。【解決手段】認識部８１は、表示パネル１１０が押圧される際にいずれの電極１１２が押圧されたかを認識する。選択判断部８２は、認識部８１の認識からいずれの操作キー１１１が選択されたかを判断し記憶部８３に記憶する。記憶部判断部８４は、操作キー１１１が押圧された際に認識された判断結果が記憶部８３に記憶されているかを判断する。検出部８５は、記憶部判断部８４によって第１認識結果及び第１判断結果に類似する認識結果及び判断結果が記憶部８３に記憶されていると判断された場合に、第１認識結果及び第１判断結果に最も類似する第２認識結果及び第２判断結果を記憶部８３から検出する。検出部８５によって検出された第２認識結果及び第２判断結果に基づいて電極１１２と操作キー１１１との対応関係を調整する。【選択図】図４
2008269132.tif 000002
【特許請求の範囲】
【請求項１】
動作指示又は／及び動作条件の設定を行うための複数の操作キーを表示可能であり、複数の電極が表示領域に並べて配置された表示部の前記電極と前記操作キーとの対応関係を調整する対応調整装置であって、
前記表示部が押圧される際にいずれの前記電極が押圧されたかを認識する認識手段と、
前記認識手段の認識結果からいずれの前記操作キーが選択されたかを判断する選択判断手段と、
前記認識手段によって認識された認識結果及び前記選択判断手段による判断結果を記憶する記憶部と、
前記操作キーが押圧された際に認識された第１認識結果及び第１判断結果に類似する認識結果及び判断結果が前記記憶部に記憶されているかを判断する記憶部判断手段と、
前記記憶部判断手段によって第１認識結果及び第１判断結果に類似する認識結果及び判断結果が前記記憶部に記憶されていると判断された場合に、第１認識結果及び第１判断結果に最も類似する第２認識結果及び第２判断結果を前記記憶部から検出する検出手段と、
前記検出手段によって検出された第２認識結果及び第２判断結果に基づいて前記電極と前記操作キーとの対応関係を調整する調整手段と、
を備えた対応調整装置。
【請求項２】
前記調整手段は、複数の動作条件の設定が行われる場合には、最初の設定に伴う前記操作キーの押圧により認識された前記第１認識結果及び第１判断結果に最も類似しており、前記検出手段によって検出された前記第２認識結果及び第２検出結果に基づいて前記電極と前記操作キーとの対応関係を調整する、
請求項１に記載の対応調整装置。
【請求項３】
前記記憶部に記憶された認識結果及び判断結果から前記電極と前記操作キーとの対応関係を複数のパターンに識別する識別手段をさらに備え、
前記記憶部は、前記識別手段によって識別された複数のパターンをさらに記憶可能であって、
前記調整手段は、前記記憶部に記憶された複数のパターンの内のいずれかに基づいて調整する、
請求項１又は２に記載の対応調整装置。
【請求項４】
前記表示部は、前記動作指示又は／及び動作条件の設定を解除する解除キーをさらに表示可能であり、
前記解除キーが押圧されると、前記解除キーが押圧されるまでに前記操作キーが押圧された際に前記記憶部に記憶された認識結果及び判断結果に基づいて前記電極と前記操作キーとの対応関係の複数のパターンを修正するパターン修正手段をさらに備えた、
請求項３に記載の対応調整装置。
【請求項５】
前記認識手段は、押圧された前記電極から操作者の指の大きさ、指の形状、前記操作キーの押し位置をさらに認識する、請求項１から４のいずれかに記載の対応調整装置。
【発明の詳細な説明】
【技術分野】
【０００１】
本発明は、対応調整装置、特に、動作指示又は／及び動作条件の設定を行う複数の操作キーを表示可能であり、操作キーに対応して複数の電極が配置された表示部の電極と操作キーとの対応関係を調整する対応調整装置に関する。
【背景技術】
【０００２】
動作指示又は／及び動作条件の設定を行う複数の操作キーを表示可能であり、操作キーに対応して複数の電極が配置された表示部を備えた装置としては、例えば画像形成装置が存在する。この画像形成装置は、印字指示又は／及び印字条件の設定を行う複数の操作キーが表示されている表示部を有している。この表示部に表示された操作キーを操作者が押圧することで印字条件などが設定される。そして、印字指示の操作キーが押圧されると設定された印字条件に基づいて印字する。このような表示部には、表示された操作キーに対応して複数の電極が設けられている。操作者が表示部を押圧する際には、電極に電流が流されることで、いずれの操作キーが押圧されたかが判断される。
【０００３】
ここで、操作者には操作キーを押圧する際に押圧の癖、例えば操作キーの右側端部を押圧する癖や操作キーの上側を押圧する癖を有する者がいる。このような癖を持った操作者の癖に応じて電極と操作キーとの対応関係を調整するようにした装置がある（特許文献１参照）。
【特許文献１】特開平６−１３１０９４号公報
【発明の開示】
【発明が解決しようとする課題】
【０００４】
特許文献１に記載のタッチパネル入力装置では、特定の癖を有する操作者による使用に基づいて電極と操作キーとの対応関係を調整するために、特定の癖以外の癖を有していない操作者にとっては操作しにくくなっている。
【０００５】
本発明の課題は、押圧する際の癖が異なる複数の操作者が使用する場合であっても操作しやすくなるようにすることにある。
【課題を解決するための手段】
【０００６】
請求項１に係る対応調整装置は、動作指示又は／及び動作条件の設定を行うための複数の操作キーを表示可能であり、複数の電極が表示領域に並べて配置された表示部の電極と操作キーとの対応関係を調整する対応調整装置であって、認識手段と、選択判断手段と、記憶部と、記憶部判断手段と、検出手段と、調整手段とを備えている。認識手段は、表示部が押圧される際にいずれの電極が押圧されたかを認識する手段である。選択判断手段は、認識手段の認識からいずれの操作キーが選択されたかを判断する手段である。記憶部は、認識手段によって認識された認識結果及び選択判断手段による判断結果を記憶する。記憶部判断手段は、操作キーが押圧された際に認識された第１認識結果及び第１判断結果に類似する認識結果及び判断結果が記憶部に記憶されているかを判断する。検出手段は、記憶部判断手段によって第１認識結果及び第１判断結果に類似する認識結果及び判断結果が記憶部に記憶されていると判断された場合に、第１認識結果及び第１判断結果に最も類似する第２認識結果及び第２判断結果を記憶部から検出する。検出手段によって検出された第２認識結果及び第２判断結果に基づいて電極と操作キーとの対応関係を調整する手段である。
【０００７】
この対応調整装置では、操作者によって表示部が押圧されると、いずれの電極が押圧されたかが認識され、この認識に基づいていずれの操作キーが選択されたかが判断される。このとき、第１認識結果及び第１判断結果に類似する認識結果及び判断結果が記憶部に記憶されているかが判断され、記憶されている場合には第１認識結果及び第１判断結果に類似する第２認識結果及び第２判断結果が検出される。第２認識結果及び第２判断結果に基づいて電極と操作キーとの対応関係が調整される。
【０００８】
ここでは、操作者による表示部の押圧に基づいて電極と操作キーとの対応関係を調整するために、表示部を操作しやすくなる。また、複数の操作者が使用する場合であっても各操作者による表示部の押圧に応じて電極と操作キーとの対応関係を調整するために操作しやすくすることができる。
【０００９】
請求項２に係る対応調整装置は、請求項１に記載の対応調整装置であって、調整手段は、複数の動作条件の設定が行われる場合には、最初の設定に伴う操作キーの押圧により認識された第１認識結果及び第１判断結果に最も類似しており、検出手段によって検出された第２認識結果及び第２検出結果に基づいて電極と操作キーとの対応関係を調整する。
【００１０】
ここでは、複数の動作指示又は動作条件の設定がなされる場合には、最初の操作に基づいて電極と操作キーとの対応関係が調整されるために表示部を操作しやすくなる。
【００１１】
請求項３に係る対応調整装置は、請求項１または２に記載の対応調整装置であって、記憶部に記憶された認識結果及び判断結果から電極と操作キーとの対応関係を複数のパターンに識別する識別手段をさらに備えている。記憶部は、識別手段によって識別された複数のパターンをさらに記憶可能であって、調整手段は、記憶部に記憶された複数のパターンの内のいずれかに基づいて調整する。
【００１２】
ここでは、記憶部には複数のパターンを記憶させておくことで、今までになされた全ての認識結果及び判断結果を記憶する必要が無く、記憶部の負担を軽減することができる。
【００１３】
請求項４に係る対応調整装置は、請求項３に記載の対応調整装置であって、表示部は、動作指示又は／及び動作条件の設定を解除する解除キーをさらに表示可能であり、解除キーが押圧されると、解除キーが押圧されるまでに操作キーが押圧された際に記憶部に記憶された認識結果及び判断結果に基づいて電極と操作キーとの対応関係の複数のパターンを修正するパターン修正手段をさらに備えている。
【００１４】
ここでは、解除キーによって解除された場合にパターンを修正するために複数の操作者が使用する場合であっても、各使用者が使用しやすくすることができる。
【００１５】
請求項５に係る対応調整装置は、請求項１から４のいずれかに記載の対応調整装置であって、認識手段は、押圧された電極から操作者の指の大きさ、形状、キーの押し位置をさらに認識する。
【００１６】
ここでは、操作者に関する情報を認識するために操作者を特定しやすくなる。
【発明の効果】
【００１７】
本発明では、押圧する際の癖が異なる複数の操作者が使用する場合であっても操作しやすくなるようにすることができる。
【発明を実施するための最良の形態】
【００１８】
１．構成
図１及び図２に本発明の一実施形態に係る複合機１を示す。なお、この図１は、複合機１の全体外観図であって、図２は複合機１の全体断面図であって詳細は省略している。この複合機１は、読み取り部２と、画像形成部３と、定着ユニット４と、排出部５と、用紙収納部６と、用紙搬送部７と、対応位置調整装置８とを有している。また、この複合機１の外枠には、図１に示すように原稿に対する印字条件を入力可能な表示パネル１１０が設けられている。
【００１９】
表示パネル１１０は、図１に示すように、複合機１の外枠に配置されており、印字倍率や原稿サイズなどの印字条件の設定が可能な複数の操作キー１１１が表示されている。また、表示パネル１１０には、図３に示すように、複数の電極１１２が配置されており、表示パネル１１０を操作者が押圧すると押圧された部分の電極１１２に電流が流れるようになっている。さらに表示パネル１１０には現在設定されている印字条件を解除するための解除キー１１３が表示されている。なお、初期状態（対応位置調整装置８によって調整が行われていない状態）では、操作キー１１１と、操作キー１１１が表示されている位置に配置された電極１１２とが対応している。
【００２０】
読み取り部２は、図２に示すように原稿の画像データを読み取るための部分であって、第１原稿読み取り部２１と、第２原稿読み取り部２２とを有している。第１原稿読み取り部２１は、原稿を載置可能なコンタクトガラス２１１と、コンタクトガラス２１１との間で原稿を狭持可能なカバー２１２と、図示しないＣＣＤセンサと、光学系とを有している。第２原稿読み取り部２２は、原稿を載置可能な原稿載置トレイ２２１と、原稿載置トレイ２２１上に載置された原稿を搬送する原稿搬送部２２２と、原稿搬送部によって搬送された原稿が排出される原稿排出部２２４と、図示しない光学系とを備えている。ここで、第１原稿読み取り部２１によって原稿を読み取る際には、コンタクトガラス２１１の上に原稿を載置し、原稿の上側にカバー２１２を被せた後にＣＣＤセンサ及び光学系によって原稿を読み取る。第２原稿読み取り部２２によって原稿を読み取る際には、原稿載置トレイ２２１上に原稿を載置し、原稿搬送部２２２によって原稿が搬送され、原稿排出部２２４に排出される。原稿搬送部２２２で搬送される際に原稿が読み取られる。
【００２１】
画像形成部３は、用紙に画像を形成するための部分であって、感光体ドラム３１と、レーザユニット３２と、現像器３３とを有する。画像形成部３は、複合機１の上方部分に配置されている。感光体ドラム３１は読み取り部２で読み取られた画像データまたは外部のコンピュータから送信された画像データに基づいて静電潜像が表面に形成される円柱状の部材である。レーザユニット３２は感光体ドラム３１上にレーザ光を照射するための部材である。現像器３３は、感光体ドラム３１の表面にトナーを供給するものであり、感光体ドラム３１に隣接して配置されている。現像器３３の内部にはトナーが収納されており、感光体ドラム３１と対向して現像ローラ３３ａが配置されている。この現像ローラ３３ａによって感光体ドラム３１の表面にトナーを供給する。
【００２２】
定着ユニット４は、画像形成部３で用紙に形成された画像を用紙に定着させるための部分であって、加熱ローラ４１と、加圧ローラ４２とを有している。また、定着ユニット４は、画像形成部３の用紙搬送方向下流側に配置されている。加熱ローラ４１は、用紙に形成されたトナー像を熱によって溶融定着するための部材である。加圧ローラ４２は、加熱ローラ４１に対向して配置されている。
【００２３】
排出部５は、複写した用紙を複合機１内から複合機１外に排出するための部分であって、複合機１の側部に配置されている。
【００２４】
用紙収納部６は、画像形成部３に供給される用紙が収納されている部分であって、複数の給紙カセット６１を有する。また、用紙収納部６は、複合機１の下部に配置されている。複数の給紙カセット６１には、それぞれ異なる種類の用紙（例えば、Ａ４やＡ３、Ｂ４等）が収納されている。
【００２５】
用紙搬送部７は、用紙収納部６の用紙を画像形成部３、定着ユニット４、排出部５の順に搬送可能な部分である。用紙搬送部７には、レジストローラやフィードローラが配置されている。
【００２６】
対応位置調整装置８は、表示パネル１１０の電極１１２と操作キー１１１との対応関係を調整する装置であって、ＣＰＵ、ＲＡＭ、ＲＯＭ等を有し、図４に示すように、ＣＰＵがプログラムを実行することで認識部８１と、選択判断部８２と、記憶部判断部８４と、検出部８５と、識別部８６と、調整部８７と、パターン修正部８８として機能する。また、対応位置調整装置８は、記憶部８３を有している。
【００２７】
認識部８１は、表示パネル１１０が押圧される際にいずれの電極１１２が押圧されたかを認識する部分であって、押圧された電極１１２から操作者の指の大きさ、指の形状、操作キーの押し位置を認識する。
【００２８】
選択判断部８２は、認識部８１の認識結果からいずれの操作キー１１１が選択されたかを判断する。
【００２９】
記憶部判断部８４は、操作キー１１１が押圧された際に認識された第１認識結果及び第１判断結果に類似する認識結果及び判断結果が記憶部８３に記憶されているかを判断する。ここで、操作キー１１１が押圧された際に認識された第１認識結果及び第１判断結果に類似する認識結果及び判断結果には、第１認識結果及び第１判断結果と同じ認識結果及び判断結果だけでなく、押圧されたと認識された電極１１２の近傍、例えば押圧された電極１１２に隣接して配置された電極１１２を押圧された際の認識結果及び判断結果（どの操作を行ったか）が含まれる。
【００３０】
検出部８５は、記憶部判断部８４によって第１認識結果及び第１判断結果に類似する認識結果及び判断結果が記憶部８３に記憶されていると判断された場合に、第１認識結果及び第１判断結果に最も類似する第２認識結果及び第２判断結果を記憶部８３から検出する。ここで、最も類似するとは、操作キー１１１の押圧位置に最も近いことを意味する。
【００３１】
識別部８６は、記憶部８３に記憶された認識結果及び判断結果から電極１１２と操作キー１１１との対応関係を複数の対応パターンに識別する。
【００３２】
調整部８７は、検出部８５で検出された第２認識結果及び第２検出結果に基づいて最適の対応パターンを判断し、その対応パターンに基づいて電極１１２と操作キー１１１との対応関係を調整する。また、調整部８７は、複数の動作条件の設定（例えば、両面印刷と拡大・縮小など）が行われる場合には、検出部８５によって検出された最初の操作キー１１１の押圧により認識された第１認識結果及び第１判断結果に最も類似した第２認識結果及び第２検出結果に基づいて電極１１２と操作キー１１１との対応関係を調整する。例えば、操作者によって先ず操作キー１１１の上側端部を押圧された場合には、操作者の押し位置や指の形状などの情報を認識し、電極１１２の対応位置が少し上側にずれているパターンに基づいて調整する。ここで、対応パターンは、押圧の癖に応じてずらした対応電極１１２の位置のことを言い、例えば以前に使用した操作者によって操作キー１１１の内のあるキーの左上側を押圧し、その後別のキーの右上を押圧し、さらに他のキーの左上を押圧する操作が行われていた場合、調整部８７は、あるキーの左上側を最初に押圧すると、別のキーの対応電極１１２を右上にずらし、他のキーの対応電極１１２を左上側にずらす。
【００３３】
パターン修正部８８は、解除キー１１３が押圧されると、解除キー１１３が押圧されるまでに操作キー１１１が押圧された際に記憶部８３に記憶された認識結果及び判断結果に基づいて電極１１２と操作キー１１１との対応関係の対応パターンを修正する。
【００３４】
記憶部８３は、認識部８１で認識された認識結果及び選択判断部８２で判断された判断結果と、複数の電極１１２と操作キー１１１との対応パターンとを記憶可能な部分であって、他の機能部を機能させるプログラムが記憶されている。
【００３５】
２．動作
先ず用紙に画像を印字する際の複合機１の動作について説明する。
【００３６】
用紙に画像を印字する場合には、または原稿読み取り部２で原稿の画像データが読み取られる。このとき、用紙収納部６の用紙が画像形成部３に搬送されている。その後、画像データは画像形成部３に送信され、この画像データに基づいて画像形成部３で用紙に画像が形成される。画像が形成された用紙は定着ユニット４に搬送され、用紙にトナー画像が定着される。定着ユニット４でトナー画像が定着された用紙は排出部５から排出される。
【００３７】
次に、表示パネル１１０の電極１１２と操作キー１１１との対応調整動作についてのフローチャートを示す図５を参照して対応調整動作について説明する。
【００３８】
先ず、表示パネル１１０が操作者によって押圧されたか否かが判断される（Ｓ１）。表示パネル１１０が操作者によって押圧されていない場合（Ｓ１のＮＯ）には押圧されるまで待機する。表示パネル１１０が操作者によって押圧される（Ｓ１のＹＥＳ）と、いずれの電極１１２が押圧されたかが認識される（Ｓ２）。具体的には、電極１１２が押圧されると、押圧された電極１１２が通電し、その際の電気信号によっていずれの電極１１２が押圧されたかが認識される。このとき、押圧された電極１１２から操作者の指の大きさ、指の形状、操作キー１１１の押し位置などの情報が認識される。このとき押圧された電極１１２からいずれの操作キー１１１が選択されたかが判断される（Ｓ２）。そして、認識された情報と類似する情報が記憶部８３に記憶されているか否かが判断される（Ｓ３）。記憶部８３に類似する情報が記憶されていない場合（Ｓ３のＮＯ）には、認識した情報を新たに記憶し（Ｓ５）、選択された操作キー１１１に応じた操作を行う。一方、記憶部８３に類似する情報が記憶されていると判断した場合（Ｓ３のＹＥＳ）には、記憶部８３に記憶されている操作キー１１１と電極１１２との対応関係から最適の操作キー１１１と電極１１２とのパターンを検出する（Ｓ４）。そして、検出したパターンに基づいて操作キー１１１と電極１１２との対応関係を調整する（Ｓ６）。その後、操作キー１１１の操作を受け付けると共に、解除キー１１３が押圧されたか否かが判断される（Ｓ７）。解除キー１１３が押圧されている場合（Ｓ７のＹＥＳ）には、操作キー１１１と電極１１２との対応関係（操作キー１１１と電極１１２とのパターン）を修正し（Ｓ８）、次の表示パネル１１０の押圧まで待機する。解除キー１１３が押圧されていない場合（Ｓ７のＮＯ）には、印字命令が有るか否かを判断する（Ｓ９）。印字命令が無い場合（Ｓ９のＮＯ）には、印字命令がなされるまで待機する。印字命令がなされた場合（Ｓ９のＹＥＳ）には、操作キー１１１によって設定された印字条件に基づいて印字を行う（Ｓ１０）とともに、操作キー１１１と電極１１２との対応関係を初期状態に戻す。
【００３９】
ここでは、操作者の最初の操作、すなわち表示パネル１１０の押圧に応じて電極１１２と操作キー１１１との対応関係を調整するために、複数の操作者によって使用される装置であっても、使用しやすくすることができる。
３．他の実施形態
（ａ）上記実施形態では、表示パネル１１０の押圧の際に押圧された電極１１２及び操作キー１１１から複数のパターンの内の最適のパターンを検出して、そのパターンに基づいて電極１１２と操作キー１１１との対応関係を調整するようにしたが、表示パネル１１０が押圧された際に押圧された電極１１２及び操作キー１１１に基づいて電極１１２と操作キー１１１との対応関係を調整しても良い。
【００４０】
（ｂ）上記実施形態では、複合機１について説明したが、本発明はこれに限られずに、表示パネルを備えた装置、例えば計算機やカーナビゲーションシステム装置などであっても良い。
【００４１】
（ｃ）また、上記実施形態では、解除キー１１３が押圧された場合（Ｓ７のＹＥＳ）に、操作キー１１１と電極１１２との対応関係（操作キー１１１と電極１１２とのパターン）を修正した（Ｓ８）が、本発明はこれに限らずに、解除キー１１３が押圧された場合に設定を初期状態に戻し、次の操作まで待機にするようにしても良い。
【図面の簡単な説明】
【００４２】
【図１】本発明の実施形態に係る複合機の外観図。
【図２】複合機の全体断面図。
【図３】表示パネルを示す図。
【図４】対応調整装置のブロック図。
【図５】対応調整装置の動作を示すフローチャート。
【符号の説明】
【００４３】
１  複合機（画像形成装置）
２  読み取り部
３  画像形成部
５  排出部
７  用紙搬送部
８  対応位置調整装置
８１  認識部
８２  選択判断部
８３  記憶部
８４  記憶部判断部
８５  検出部
８６  識別部
８７  調整部
８８  パターン修正部
１１０  表示パネル（表示部）
１１１  操作キー
１１２  電極
【図１】
2008269132.tif 000003
【図２】
2008269132.tif 000004
【図３】
2008269132.tif 000005
【図４】
2008269132.tif 000006
【図５】
2008269132.tif 000007